(57)【特許請求の範囲】
【請求項１】
熱遮断回路内蔵型ＭＯＳＦＥＴを用い、マイクロコンピュータでチャージポンプ回路によって電源電圧を昇圧したチャージポンプ出力電圧を駆動回路を介して該熱遮断回路内蔵型ＭＯＳＦＥＴのゲートに印加することによりオン・オフ制御して負荷に電源を供給する半導体リレーシステムにおいて，
前記熱遮断回路内蔵型ＭＯＳＦＥＴと車載バッテリとの間に直列にシャント抵抗を接続し、該シャント抵抗の両端に増幅器の入力端子を接続し、該増幅器の出力端子から該シャント抵抗の両端電圧に応じた電圧を前記マイクロコンピュータに出力して前記熱遮断回路内蔵型ＭＯＳＦＥＴに供給される電流を検出する電流検出手段と，
前記マイクロコンピュータに外付けのスイッチからオン操作信号が入力されると、該マイクロコンピュータから駆動指示信号が入力され、前記駆動回路に対して前記熱遮断回路内蔵型ＭＯＳＦＥＴのゲートに所定電圧を印加する指令を出力するゲート・ロジック回路と，
前記シャント抵抗の両端にコンパレータの入力端子を接続し、該コンパレータの出力端子から該シャント抵抗に流れる電流値が予め設定してある電流値に達したときに前記ゲート・ロジック回路を作動して前記駆動回路を制御して前記熱遮断回路内蔵型ＭＯＳＦＥＴのゲートに印加する電圧をカットオフして前記負荷に電源の供給を停止する過電流制御手段と，
前記負荷に並列に抵抗を接続し前記熱遮断回路内蔵型ＭＯＳＦＥＴのソース側に発生するソース電圧を検出するソース電圧検出手段と，
前記熱遮断回路内蔵型ＭＯＳＦＥＴをオンする指令信号が前記マイクロコンピュータから前記ゲート・ロジック回路に出力されているときに、前記ソース電圧検出手段によって検出された電圧値がほぼ０電位にまで低下していることを検出することによって前記熱遮断回路内蔵型ＭＯＳＦＥＴが内蔵する自己熱遮断回路を機能させてオフしたものと判定する自己熱遮断判定手段とを備えてなる半導体リレーシステムの過電流遮断検出装置。
【発明の詳細な説明】
【０００１】
【発明の属する技術分野】
本発明は、ランプ負荷に過電流が流れたときに熱遮断回路内蔵型ＭＯＳＦＥＴをオフさせてランプ負荷に電流が流れないように制御する熱遮断回路内蔵型ＭＯＳＦＥＴを用いた半導体リレーシステムに係り、特に熱遮断回路内蔵型ＭＯＳＦＥＴのオフがランプ負荷に過電流が流れたときにコンピュータからの指令信号に基づくものなのか、熱遮断回路内蔵型ＭＯＳＦＥＴに内蔵する自己熱遮断回路の遮断機能によるものなのかを区別する半導体リレーシステムの過電流遮断検出装置に関する。
【０００２】
【従来の技術】
一般に、車両において、車載バッテリからの電源はパワーＭＯＳＦＥＴ及び絶縁被膜により被われた電源線を介して車両の各部に配されている負荷に供給されている。この電源線は、常時振動しているエンジンルーム内等において車体に沿って配索されるが、このとき、車体の角部に接近して位置されていると、例えば、振動により角部と断続的な接触を繰り返すようになり、これが長期間続き電源線の被覆が車体の角部により徐々に削られて内部導線が微小ではあるが露出するようになった場合において、この電源線の露出部が車体と接触することに伴って、電源線にデッドショートやレアショートが起こり、過電流が流れることになる。
【０００３】
近年では、自動車用半導体リレーとして、パワーＭＯＳＦＥＴやＩＰＳ（Intelligent Power Switch）が使用されてきている。このような半導体リレー、ＩＰＳにおいてはデバイスの発熱を防ぐために、従来から図２に示す如くいろいろなカレントリミッタ方式が採られている。例えば、ランプ負荷に通電中（定常電流供給中）に、何等かの原因（例えば、地絡）で過電流が流れた場合には、ランプ負荷に流れる電流をゼロまで落としてしまう。このため、マイクロコンピュータを用い所定間隔で電流値をサンプリングして電流モニター値を読み、過電流状態か否かをソフト的に判断することは、サンプリングがランプ負荷に流れる電流がゼロのときに当たるとできなかった。
【０００４】
【発明が解決しようとする課題】
このような半導体リレーシステムにおいてスイッチング素子として自己熱遮断回路を内蔵し、所定温度以上になると、自己遮断機能によってゲートに印加される電圧に拘らずオフする熱遮断回路内蔵型ＭＯＳＦＥＴを用いると、ランプ負荷に通電中（定常電流供給中）に、何等かの原因（例えば、地絡）で所定の電流より大きな電流が流れた場合に、通常は所定時間でランプ負荷に過電流が流れたことを検出して熱遮断回路内蔵型ＭＯＳＦＥＴを遮断するが、ランプ負荷に過電流が流れたことを検出しなくても熱遮断回路内蔵型ＭＯＳＦＥＴに電流が流れ続けて熱遮断回路内蔵型ＭＯＳＦＥＴが加熱し、自己の有する熱遮断温度を超えると熱遮断回路内蔵型ＭＯＳＦＥＴが自己遮断してランプ負荷に電流の供給を停止している。
【０００５】
このようにランプ負荷に電流を供給しない状況としては、通常の過電流制御に基づく熱遮断回路内蔵型ＭＯＳＦＥＴのオフと、熱遮断回路内蔵型ＭＯＳＦＥＴの発熱による自己遮断に基づく熱遮断回路内蔵型ＭＯＳＦＥＴの遮断とがある。この２つは、共に熱遮断回路内蔵型ＭＯＳＦＥＴのオフによるランプ負荷への電流供給の停止であるが、過電流の検出だけでは、通常の過電流制御に基づく熱遮断回路内蔵型ＭＯＳＦＥＴの遮断（過熱制御遮断）なのか、熱遮断回路内蔵型ＭＯＳＦＥＴの発熱による自己遮断に基づく熱遮断回路内蔵型ＭＯＳＦＥＴの遮断（過熱自己遮断）なのか判断できないという問題を有している。
【０００６】
本発明の目的は、熱遮断回路内蔵型ＭＯＳＦＥＴの遮断が過電流制御に基づく遮断（過熱制御遮断）なのか、熱遮断回路内蔵型ＭＯＳＦＥＴの発熱による自己遮断（過熱自己遮断）なのか容易に判断できるようにすることにある。
【０００７】
【課題を解決するための手段】
上記の目的を達成するために、請求項１に記載の半導体リレーシステムの過電流遮断検出装置は、熱遮断回路内蔵型ＭＯＳＦＥＴを用い、マイクロコンピュータでチャージポンプ回路によって電源電圧を昇圧したチャージポンプ出力電圧を駆動回路を介して該熱遮断回路内蔵型ＭＯＳＦＥＴのゲートに印加することによりオン・オフ制御して負荷に電源を供給する半導体リレーシステムにおいて，
前記熱遮断回路内蔵型ＭＯＳＦＥＴと車載バッテリとの間に直列にシャント抵抗を接続し、該シャント抵抗の両端に増幅器の入力端子を接続し、該増幅器の出力端子から該シャント抵抗の両端電圧に応じた電圧を前記マイクロコンピュータに出力して前記熱遮断回路内蔵型ＭＯＳＦＥＴに供給される電流を検出する電流検出手段と，
前記マイクロコンピュータに外付けのスイッチからオン操作信号が入力されると、該マイクロコンピュータから駆動指示信号が入力され、前記駆動回路に対して前記熱遮断回路内蔵型ＭＯＳＦＥＴのゲートに所定電圧を印加する指令を出力するゲート・ロジック回路と，
前記シャント抵抗の両端にコンパレータの入力端子を接続し、該コンパレータの出力端子から該シャント抵抗に流れる電流値が予め設定してある電流値に達したときに前記ゲート・ロジック回路を作動して前記駆動回路を制御して前記熱遮断回路内蔵型ＭＯＳＦＥＴのゲートに印加する電圧をカットオフして前記負荷に電源の供給を停止する過電流制御手段と，
前記負荷に並列に抵抗を接続し前記熱遮断回路内蔵型ＭＯＳＦＥＴのソース側に発生するソース電圧を検出するソース電圧検出手段と，
前記熱遮断回路内蔵型ＭＯＳＦＥＴをオンする指令信号が前記マイクロコンピュータから前記ゲート・ロジック回路に出力されているときに、前記ソース電圧検出手段によって検出された電圧値がほぼ０電位にまで低下していることを検出することによって前記熱遮断回路内蔵型ＭＯＳＦＥＴが内蔵する自己熱遮断回路を機能させてオフしたものと判定する自己熱遮断判定手段とを設けて構成したものである。
このように構成することにより、請求項１に記載の発明によると、熱遮断回路内蔵型ＭＯＳＦＥＴの遮断が過電流制御に基づく遮断（制御遮断）なのか、熱遮断回路内蔵型ＭＯＳＦＥＴの発熱による自己遮断（過熱自己遮断）なのか容易に判断することができる。
【００１３】
【発明の実施の形態】
以下、本発明に係る実施の形態について説明する。
図１には、本発明に係る半導体リレーシステムの過電流遮断検出装置、及び半導体リレーシステムの保護方法の一実施の形態が示されている。
【００１４】
図において、車載バッテリ１からの電源電圧ＶＢは、負荷に供給される電流を検出する電流検出用抵抗（シャント抵抗）Ｒｓと、半導体スイッチ素子としての熱遮断回路内蔵型ＭＯＳＦＥＴ２のドレインＤ−ソースＳ間を介してストップランプ等々のランプ負荷３に供給される。
この熱遮断回路内蔵型ＭＯＳＦＥＴ２は、例えば、ロジックレベル（４Ｖ以上）駆動型パワーＭＯＳＦＥＴで、熱遮断回路を内蔵しており、過熱状態のパワーＭＯＳＦＥＴ保護が可能となっており、過熱遮断方式はラッチ型で、過熱遮断回路動作後は、ゲート電圧０バイアスで復帰するものである。
【００１５】
駆動回路４は、チャージポンプ回路５により電源電圧ＶＢを昇圧したチャージポンプ出力電圧ＶＰがコレクタに接続されるＮＰＮ型スイッチング（ＳＷ）トランジスタＴｒ１と、該ＳＷトランジスタＴｒ１のエミッタにコレクタが接続されたＮＰＮ型スイッチング（ＳＷ）トランジスタＴｒ２とを有しており、ＳＷトランジスタＴｒ１のエミッタとＳＷトランジスタＴｒ２のコレクタとの接点が熱遮断回路内蔵型ＭＯＳＦＥＴ２のゲートＴＧに接続されている。
そして、駆動回路４は、ＳＷトランジスタＴｒ１をオンさせると共にＳＷトランジスタＴｒ２をオフさせることにより、チャージポンプ回路５から供給されるチャージポンプ出力電圧ＶＰを熱遮断回路内蔵型ＭＯＳＦＥＴ２のゲートＧに印加して、熱遮断回路内蔵型ＭＯＳＦＥＴ２をオンさせる。
【００１６】
また、ＳＷトランジスタＴｒ１をオフさせると共にＳＷトランジスタＴｒ２をオンさせることにより、熱遮断回路内蔵型ＭＯＳＦＥＴ２のゲートＧに対するチャージポンプ出力電圧ＶＰの印加を停止して、熱遮断回路内蔵型ＭＯＳＦＥＴ２をオフさせる。
また、車載バッテリ１と熱遮断回路内蔵型ＭＯＳＦＥＴ２との間に設けられたシャント抵抗Ｒｓは、車載バッテリ１と負荷３との間の電源線に流れる電流ＩＬを電圧に変換するための低抵抗で、この両端電圧を検出することにより電源線に流れる電流ＩＬの検出を行っている。このシャント抵抗Ｒｓの両端は、増幅器６の（＋）入力端子と（−）入力端子に接続されており、この増幅器６は、電流検出手段として働き、シャント抵抗Ｒｓの両端電圧に応じた電圧を出力することにより電流ＩＬを検出している。そして、このシャント抵抗Ｒｓは、例えば、数十ｍΩの抵抗を用い、ハード的な過電流判定値（第１の設定値）、例えば、数十Ａを決定するものである。
【００１７】
増幅器６の出力は、Ａ／Ｄ変換器７によりディジタル変換された後、マイクロコンピュータ（マイコン）８に供給される。このマイコン８には、一端が抵抗Ｒ１を介してアースと接続され、他端が電源電圧ＶＢに接続されている外付けのスイッチＳＷの一瑞が接続され、スイッチＳＷがオン操作されるとＨレベルのオン操作信号Ｓ１が供給される。
このマイコン８は、Ａ／Ｄ変換器７が内蔵されており、予め設定されている制御プログラムに従って動作するＣＰＵ９と、このＣＰＵ９の制御プログラムを予め格納しているＲＯＭ１０と、ＣＰＵ９の演算実行時に必要なデータを一時的に保存するＲＡＭ１１とによって構成されており、マイコン８にスイッチＳＷのオン操作によってＨレベルのオン操作信号Ｓ１が入力されると、ゲート・ロジック回路１３に対して駆動指示信号Ｓ２を出力する機能を有している。
【００１８】
一方、シャント抵抗Ｒｓの両端には、コンパレータ１２の入力端子がそれぞれが接続されており、このコンパレータ１２の出力端子には、ゲート・ロジック回路１３が接続されている。そして、このゲート・ロジック回路１３は、駆動回路４とマイクロコンピュータ（マイコン）８に接続されている。
コンパレータ１２は、シャント抵抗Ｒｓの両端の電圧に応じてゲート・ロジック回路１３に所定電圧を出力（シャント抵抗Ｒｓに流れる電流値が予め設定してある電流値に達したときに出力される）する。コンパレータ１２からの出力があると、ゲート・ロジック回路１３は、マイコン８からの駆動指示信号Ｓ２に拘らず駆動回路４から熱遮断回路内蔵型ＭＯＳＦＥＴ２のゲートＧに印加しているゲート電圧をオフする出力を行う。これによってシャント抵抗Ｒｓに流れる電流は低下する。コンパレータ１２からの出力を受けた後、コンパレータ１２のヒステリシスによって、シャント抵抗Ｒｓに流れる電流が当初流れた電流から所定量（ヒステリシス量）になると再度ゲート・ロジック回路１３に駆動回路４から熱遮断回路内蔵型ＭＯＳＦＥＴ２のゲートＧにゲート電圧を印加するようにオン信号を出力する。この電流制御は、マイコン８からゲート・ロジック回路１３に対して出力される駆動指示信号Ｓ２がオフになるまで続く。
【００１９】
また、熱遮断回路内蔵型ＭＯＳＦＥＴ２のソースＳには、抵抗１４の一端が接続されており、この抵抗１４の他端は接地されている。この抵抗１４は、熱遮断回路内蔵型ＭＯＳＦＥＴ２のソースＳに生じる電圧Ｖｋを検出するための検出用抵抗である。この抵抗１４の一端は、抵抗１５とコンデンサ１６によって構成されるノイズカットフィルターを介してマイコン８に接続されている。この抵抗１４のソース側電圧Ｖｋは、熱遮断回路内蔵型ＭＯＳＦＥＴ２がオンしている場合、抵抗１４の抵抗値と印加電圧で決まる電圧値に一定に収束しており、熱遮断回路内蔵型ＭＯＳＦＥＴ２がオフすることにより、ほぼ０電位にまで低下する。
【００２０】
また、マイコン８は、常時所定時間毎に、Ａ／Ｄ変換器７によりディジタル変換された増幅器６の出力をサンプリングし、このサンプリングした負荷に流れる電流ＩＬがマイコン８で設定する基準設定値（基準とする電流値）を越えているか比較し、このランプ負荷３に流れる電流ＩＬが基準設定値を越えた状態を連続して設定回数（例えば、数回）カウントしたときに過電流を検出する。この過電流を検出すると、マイコン８は、ゲート・ロジック回路１３への駆動指示信号Ｓ２の出力を停止する。
このマイコン８からのゲート・ロジック回路１３への駆動指示信号Ｓ２がオフすると、熱遮断回路内蔵型ＭＯＳＦＥＴ２のゲートＧへのチャージポンプ出力電圧ＶＰの印加を停止するようになっている。
【００２１】
このように構成される半導体リレーシステムの過電流遮断検出装置、及び半導体リレーシステムの保護方法の動作について説明する。
このような図１の構成で、ハード的な過電流判定値を数十Ａに設定し、地絡の場合は約数十μｓｅｃの周期で電流制限を行う。また、ソフト的な過電流判定値を定格負荷（２１Ｗ×２灯のランプ）電流の倍に設定し、コンパレータ１２のヒステリシスを設定してある。このようにソフト的な過電流判定値を定格負荷電流の倍に設定し、コンパレータ１２のヒステリシスを設定すると、電流の落ち込みは下限値になるので、マイコン８で電流モニター（電流値のサンプリング）を行う（マイコン８で設定している過電流判定値と比較する）ことによって過電流状態を読み込むことができる。この場合のマイコン８でのデータサンプリングは、例えば、数ｍｓｅｃの数回読み込みで過電流状態とみなす。
【００２２】
このように本実施の形態は、負荷側のショートによる過電流に対し、負荷側への供給電流について定電流制御（過電流設定値）を行うことによって電流値をマイクロコンピュータでの過電流判定値（基準設定値）以下に落とすことなく、十分な過電流判断（基準設定値と検出電流値の比較）を行い、過電流を検出した後、一定時間で熱遮断回路内蔵型ＭＯＳＦＥＴのゲート電圧を落として熱遮断回路内蔵型ＭＯＳＦＥＴをオフし負荷側に電流を流さないようにしている。これが過電流による過熱制御遮断である。
【００２３】
また、負荷側のショートによる過電流に対し、一定時間で熱遮断回路内蔵型ＭＯＳＦＥＴのゲート電圧を落として熱遮断回路内蔵型ＭＯＳＦＥＴをオフするまでに、熱遮断回路内蔵型ＭＯＳＦＥＴ自体が所定温度にまで過熱されると、マイコン８からのオフ信号の出力前に自己の有する自己熱遮断機能によって熱遮断回路内蔵型ＭＯＳＦＥＴをオフする。あるいは、負荷側にレアショートが生じて
過電流の検出が完全でないため過電流検出が行われず、一定時間で熱遮断回路内蔵型ＭＯＳＦＥＴのゲート電圧を落として熱遮断回路内蔵型ＭＯＳＦＥＴをオフする制御が掛からず、熱遮断回路内蔵型ＭＯＳＦＥＴ自体が過熱して過熱遮断温度にまで昇温され、マイコン８からのオフ信号の出力が無い状態で自己の有する自己熱遮断機能によって熱遮断回路内蔵型ＭＯＳＦＥＴをオフする。これが過電流による過熱自己遮断である。
【００２４】
この過電流による過熱制御遮断と、過電流による過熱自己遮断とは、熱遮断回路内蔵型ＭＯＳＦＥＴをオフするという点においては同一であるが、前者は熱遮断回路内蔵型ＭＯＳＦＥＴに熱ストレスを掛けていないのに対し、後者は熱遮断回路内蔵型ＭＯＳＦＥＴに熱ストレスを掛けているという点で大きな相違を有している。
この過電流による過熱制御遮断なのか、過電流による過熱自己遮断なのかは、マイコン８で判断している。熱遮断回路内蔵型ＭＯＳＦＥＴがオフすると、熱遮断回路内蔵型ＭＯＳＦＥＴ２のソースＳに接続される抵抗１４のソース側電圧Ｖｋは、０電位まで低下する。この現象は過電流による過熱制御遮断の場合も、過電流による過熱自己遮断の場合も同様である。そこで、マイコン８は、熱遮断回路内蔵型ＭＯＳＦＥＴをオンするための駆動指示信号Ｓ２をゲート・ロジック回路に出力したときに抵抗１４のソース側電圧Ｖｋを読みに行き、このときの抵抗１４のソース側電圧Ｖｋが一定の電圧値か、ほぼ０電位なのかを見る。このとき抵抗１４のソース側電圧Ｖｋが、ほぼ０電位になっている場合は、熱遮断回路内蔵型ＭＯＳＦＥＴが過電流による過熱自己遮断を生じていると判定する。
【００２５】
【発明の効果】
本発明は、以上説明したように構成されているので、以下に記載されるような効果を奏する。
【００２６】
請求項１に記載の発明によれば、熱遮断回路内蔵型ＭＯＳＦＥＴの遮断が過電流制御に基づく遮断（過熱制御遮断）なのか、熱遮断回路内蔵型ＭＯＳＦＥＴの発熱による自己遮断（過熱自己遮断）なのか容易に判断することができる。
【図面の簡単な説明】
【図１】本発明に係る半導体リレーシステムの過電流遮断検出装置の一実施の形態を示す回路図である。
【図２】従来のカレントリミッタ方式の特性を示す図である。
【符号の説明】
１……………………………車載バッテリ
２……………………………熱遮断回路内蔵型ＭＯＳＦＥＴ
３……………………………負荷
４……………………………駆動回路
５……………………………チャージポンプ回路
６……………………………増幅器
７……………………………Ａ／Ｄ変換器
８……………………………マイクロコンピュータ
９……………………………ＣＰＵ
１０…………………………ＲＯＭ
１１…………………………ＲＡＭ
１２…………………………コンパレータ
１３…………………………ゲート・ロジック回路
１４…………………………抵抗
【図１】
0003678953.tif 000002
【図２】
0003678953.tif 000003